(57)【要約】      （修正有）【課題】使用者が気に入った装飾物９を、容易に着脱できるブラジャーを提供する。【解決手段】ブラジャー１のカップ２，３部分の全体に亘ってレース７を一定の間隔で縫い付け、部分的に隙間を有するようにし、その隙間に装飾物９を取り付け可能なようにした。【選択図】図１
0003155056.tif 000002
【実用新案登録請求の範囲】
【請求項１】
ブラジャーのカップに対し、レースを部分的に隙間を有するように取り付け、この隙間に装飾物を取り付ける事ができるようにしたことを特徴とするブラジャー。
【請求項２】
装飾物取り付け具をレースに着脱自在にしたことを特徴とする請求項１記載のブラジャー。
【請求項３】
装飾物はペンダントヘッドである請求項１或いは請求項２記載のブラジャー。
【考案の詳細な説明】
【技術分野】
【０００１】
本考案は、容易に装飾物を着脱可能なブラジャーに関するものである。
【背景技術】
【０００２】
女性用の下着の中でブラジャーは、身につける人が最も装飾性を楽しむ事ができる利点があるので、種々の装飾を施した物が商品として提供されている。
【０００３】
ブラジャーとして装飾性を高めるために、カップの周囲や肩紐にレースなどの装飾を施したり、カップに刺繍を施した物が見られる。これによって、ブラジャーを使用する人は装飾性の高い下着を楽しむ事ができる。
【０００４】
しかし、このような装飾として刺繍やレースなど柔軟な装飾しか採用が困難であった。つまり硬い装飾物をブラジャーに施すと、洗濯によって装飾が痛んだり、洗濯機で他の洗濯物と共に洗濯を行うと、他の洗濯物を傷めるという問題があった。
【０００５】
この改善策として、特許文献に開示されるような装飾物が着脱自在になったものが考案された。しかしながら、この文献に開示されたものは、このブラジャーに専用の装飾物を着脱自在に取り付けるようにしたものであり、使用者が自分の好みの装飾物を自由に取り付けできるものではない。
【０００６】
つまり、おしゃれをしたい女性は、自己の気に入った装飾物をいつも身に付けていたいとの要求があり、その装飾物が例えばイヤリングや指輪であっても、下着に取り付けて自分自身の満足を得たいと思うものであり、特許文献に開示されたものでは、特定の装飾物であって、使用者が気に入った物であるとは限らないという問題がある。
【０００７】
このような要請を生産者が満たそうとする場合には、極めて多種の装飾物を用意する必要があり、また特定の装飾物には商標が付されている場合もあって、使用者の要請に応えるのは困難になる。
【０００８】
さらに、ブラジャーの普及のためには装飾物のコストを高価にすることが困難であり、装飾物のコストを抑えるとどうしても装飾物が安っぽくなる。これは装飾物をブラジャーに付けて、自分だけの楽しみをしようとする心理に水を差す。
【先行技術文献】
【特許文献】
【０００９】
【特許文献１】実用新案登録第３１３３２８４号公報
【考案の概要】
【考案が解決しようとする課題】
【００１０】
本願考案が解決しようとする問題点は、使用者が気に入った装飾物を自由にブラジャーに取り付け、おしゃれを楽しむことができない点である。
【課題を解決するための手段】
【００１１】
以上の課題を解決するため、本考案は、多様な装飾物を取り付けが可能になるように、ブラジャーのカップ部分に環状の取り付け部を有する装飾物の取り付け紐を付けたことを最も主要な特徴とする。
【考案の効果】
【００１２】
本考案のブラジャーは、カップ部分に環状の装飾物取り付け紐を設けたため、この部分に使用者の好みの装飾物を取り付ける事ができる。特に女性の中には、自身の気に入った装飾物を常に身に着けていたいという要求があり、ブラジャーの使用者自身が気に入った装飾物をブラジャーに取り付け、自分自身のみの楽しみを満足させる事ができる。
【００１３】
そしてブラジャーを洗濯する場合には、その装飾物を外して洗濯する事ができるため、他の洗濯物とともに同一の洗濯機に投入しても装飾物によって他の洗濯物を傷つける事が無く、装飾物の傷みも回避することができる。
【００１４】
また装飾物取り付け紐を一対のカップの間に設けると、取り付けられた装飾物が一対のカップの谷間に位置する事になり、上衣の外観に影響を与える事がなく、さらに取り付けた装飾物が直接上衣に触れないため、装飾物に突起部分が存在しても上衣を痛める事がない。
【図面の簡単な説明】
【００１５】
【図１】図１は本考案のブラジャーの実施例１の斜視図である。（実施例１）
【図２】図２は図１の部分拡大図である。（実施例１）
【図３】図３は図１の部分拡大断面図である。（実施例１）
【図４】図４は図１の部分拡大図である。（実施例１）
【図５】図５は本考案のブラジャーの実施例１の他の使用に於ける斜視図である。（実施例１）
【図６】図５は本考案のブラジャーの実施例２に於ける斜視図である。（実施例２）
【考案を実施するための形態】
【００１６】
本考案は、多様な装飾物を取り付けが可能になるように、ブラジャーのカップ部分に環状の取り付け部を有する装飾物の取り付け紐を付けた。
【実施例１】
【００１７】
図１は、本考案のブラジャーの第１実施例の斜視図である。１はブラジャー本体であり、一対のカップ２，３が設けられ、それぞれのカップ２，３には肩紐４，５の一端が取り付けられ、肩紐４，５の他端はベルト６に取り付けられている。なお、この部分は一般的であるので、図示していない。
【００１８】
７はカップ２，３の全域に亘って縫い付けられたレースであり、このレース７は５ｍｍ〜１０ｍｍ程度の一定の間隔で垂直方向にカップ２，３に縫い付けられている。このため、レース７とカップ２，３の間には図３に示すように、部分的に隙間８が形成されている。
【００１９】
この隙間８に図１に示すように、ペンダントの先に取り付けられる「チャーム」と一般に称される装飾物９を引っ掛ける事ができる。
【００２０】
またレース８がカップ２，３の上端全域に亘って縫いつけられているため、図５に示すように装飾物９をカップ２とカップ３との間に引っ掛ける事ができる。この場合は、装飾物９はカップ２とカップ３との間の谷間に位置するため、上衣と直接当たることがなく、上衣を傷めることがない。
【００２１】
さらにレース８がカップ２，３の上端全域に亘って縫いつけられているため、装飾具９はレース８の任意の位置に取り付けが可能であり、同じ装飾具９であっても、その日の気分で取り付ける位置を変える事ができる。そして、このように取り付け位置を変える事によってレース８の特定の部分が傷む事を防止できる。
【００２２】
以上の例では、肩紐４，５を有するブラジャーの例を示したが、肩紐４，５のないタイプのブラジャーにも対応する事ができる。またベルト６にホックを設けた物だけでなく、フロントホックと呼ばれるカップ２とカップ３との間にホックがあるタイプにも応用が可能である。
【実施例２】
【００２３】
図６は、実施例１の図４に相当するものである。つまりこの実施例２は、装飾物９を取り付け具１０を介してカップ３に取り付けるようにしたものである。ここで取り付け具１０としては安全ピンであったり、クリップなどの装飾物９の着脱が容易な物である。この実施例２のものは、取り付け具１０がカップ３のレース７に着脱自在に装着されており、装飾物９を直接レース７に取り付ける場合と比較して、レース７に掛かる力が分散されているため、装飾物９が強い力で引っ張られた場合であっても、レース７が千切れる事がない。
【００２４】
また、取り付け具１０が着脱自在であるので、装飾物９が環状になっている場合であっても、ブラジャー１に取り付けが可能である。
【００２５】
以上の実施例１及び実施例２では、ペンダントヘッドに用いられるチャームを取り付ける前提で説明したが、それ以外にブローチやアクセサリー以外の装飾物も取り付けが可能である。
【産業上の利用可能性】
【００２６】
本考案は、ブラジャー１に使用者の好みの装飾物９を自由に取り付け、取り外しができるため、使用者が自身の好みの装飾物９を取り付けて楽しむ事ができる。また洗濯の前に装飾物９を取り外す事ができるため、洗濯に際して装飾物９が傷む事がない。さらに、同時に洗濯機に投入された他の洗濯物も傷める事がない。
【符号の説明】
【００２７】
１    ブラジャー
２    カップ
３    カップ
４    肩紐
５    肩紐
６    ベルト
７    レース
８    隙間
９    装飾物
１０    装飾取り付け具
【図１】
0003155056.tif 000003
【図２】
0003155056.tif 000004
【図３】
0003155056.tif 000005
【図４】
0003155056.tif 000006
【図５】
0003155056.tif 000007
【図６】
0003155056.tif 000008